(57)【要約】【課題】  １つの操作部の操作で少なくとも２つの機器を動作させることのできる空調システムと、この空調システムに用いられる浴室空調機器と洗面所空調機器を提供する。【解決手段】  浴室１１の空調を行う浴室空調機器３０と、洗面所の空調を行う洗面所空調機器５０と、浴室１１の浴槽１２に湯張りを行う湯張り機能を有する給湯器２０とのうち少なくとも２つの機器を備えた空調システム１０であって、前記２つの機器のリモコン４０,６０,１５,２５の一方を操作した際にその一方の機器が動作するとともに他方の機器も動作するようにした。【選択図】  図１
2006010139.tif 000002
【特許請求の範囲】
【請求項１】
浴室の空調を行う浴室空調機器と、洗面所の空調を行う洗面所空調機器と、前記浴室の浴槽に湯張りを行う湯張り機能を有する給湯器とのうち少なくとも２つの機器と、前記機器を動作させる単一若しくは複数の操作手段とを備えた空調システムであって、
前記操作手段の所定の操作により、前記機器の少なくとも２つの機器を動作させることを特徴とする空調システム。
【請求項２】
前記各操作部はリモート操作部であり、各リモート操作部は無線式と有線式のうち少なくともいずれかの通信手段により各機器を動作させることを特徴とする空調システム。
【請求項３】
前記複数の機器のうち、少なくとも２つを動作させる連動モードを備え、
前記操作部に前記連動モードを選択可能な選択手段と、該連動モードを解除する解除手段を備えたことを特徴とする請求項１または請求項２に記載の空調システム。
【請求項４】
前記機器のうち、少なくとも１つが、前記他の機器の動作状態を把握する制御手段を備えたことを特徴とする請求項１ないし請求項３のいずれか１つに記載の空調システム。
【請求項５】
前記浴室空調機器と洗面所空調機器と給湯器のいずれかが所定モードで動作しているとき、他の機器の操作部によって他のモードが入力されたとき、その所定モードの動作を停止して他のモードに切り換わることを特徴とする請求項１ないし請求項４のいずれか１つに記載の空調システム。
【請求項６】
前記他のモードの運転が終了した後、元の運転モードに戻って動作することを特徴とする請求項５に記載の空調システム。
【請求項７】
前記浴室空調機器は、浴室を暖める第１暖房モードと、この第１暖房モードと異なる第２暖房モードとを有し、浴室空調機器が第１暖房モードで動作しているとき、所定の条件になったとき第２暖房モードに切り換わることを特徴とする請求項１ないし請求項６のいずれか１つに記載の空調システム。
【請求項８】
前記浴室空調機器は予備暖房モードを有し、他の機器の操作部によって予備暖房モードが設定されて浴室空調機器が予備暖房モードの動作を実行している時間と、この浴室空調機器の操作部によって設定された予備暖房モードを実行する時間とが異なるようにしたことを特徴とする請求項１ないし請求項７のいずれか１つに記載の空調システム。
【請求項９】
少なくとも２つの機器が連動して動作する際に、一方の機器と他方の機器とが交互に動作し、または一方の機器の動作が終了してから他方の機器が動作することを特徴とする請求項１ないし請求項８のいずれか１つに記載の空調システム。
【請求項１０】
前記各操作部は時刻を表示する表示部を有し、
各操作部の表示部が同一時刻を表示するように時刻を補正する補正手段を設けたことを特徴とする請求項１ないし請求項９のいずれか１つに記載の空調システム。
【請求項１１】
前記浴室空調機器は浴室空調機器本体を有し、前記操作手段の操作に基づいて各動作を制御する制御部を前記浴室空調機器本体に一体化して設けたことを特徴とする請求項１ないし請求項１０のいずれか１つに記載の空調システム。
【請求項１２】
請求項１ないし請求項１１のいずれか１つに記載の空調システムに用いられることを特徴とする浴室空調機器。
【請求項１３】
請求項１ないし請求項１１のいずれか１つに記載の空調システムに用いられることを特徴とする洗面所空調機器。
【発明の詳細な説明】
【技術分野】
【０００１】
この発明は、例えば浴室を空調する浴室空調機器や洗面所を空調する洗面所空調機器等とを備えている空調システムと、この空調システムに用いられる浴室空調機器と、洗面所空調機器とに関する。
【背景技術】
【０００２】
従来から、浴室の空気を吸い込んで外へ排気したり、浴室の空気を吸い込むとともにこの吸い込んだ空気を暖めて浴室へ戻したりする浴室空調装置（浴室空調機器）が知られている（特許文献１参照）。
【０００３】
かかる浴室空調装置は、脱衣室や浴室に設けたリモートコントロール装置（リモコン）の操作によって、換気モード,暖房モード,涼風モードや温度やタイマなどを設定してそれらのモードで動作するようになっている。
【０００４】
また、浴室の浴槽に湯張りが行える給湯器が提案されており、この給湯器は台所などに設けたリモコンの操作により、湯張りが行えるようになっている。
【０００５】
さらに、脱衣室（洗面所）の空調を行う洗面所空調装置が提案されており、この洗面所空調装置もその脱衣室に設けたリモコンの操作によって動作を行わせるようになっている。
【特許文献１】特開平１０−１４１７０２号公報
【発明の開示】
【発明が解決しようとする課題】
【０００６】
しかしながら、このような浴室空調装置や給湯器や洗面所空調装置では、浴槽の湯張りを行った後に入浴する場合、例えば冬場では、浴室の予備暖房を行うとともに洗面所の暖房を行うが、それぞれのリモコンを１つづつ操作していかなければならず、非常に面倒であるという問題があった。
【０００７】
この発明は、１つの操作部の操作で少なくとも２つの機器を動作させることのできる空調システムと、この空調システムに用いられる浴室空調機器と洗面所空調機器を提供することにある。
【課題を解決するための手段】
【０００８】
請求項１の発明は、浴室の空調を行う浴室空調機器と、洗面所の空調を行う洗面所空調機器と、前記浴室の浴槽に湯張りを行う湯張り機能を有する給湯器とのうち少なくとも２つの機器と、前記機器を動作させる単一若しくは複数の操作手段とを備えた空調システムであって、
前記操作手段の所定の操作により、前記機器の少なくとも２つの機器を動作させることを特徴とする。
【０００９】
前記２つの機器の操作部の一方を操作した際にその一方の機器が動作するとともに他方の機器も動作することを特徴とする。
【００１０】
請求項２の発明は、前記各操作部はリモート操作部であり、各リモート操作部は無線式と有線式のうち少なくともいずれかの通信手段により各機器を動作させることを特徴とする。
【００１１】
請求項３の発明は、前記複数の機器のうち、少なくとも２つを動作させる連動モードを備え、
前記操作部に前記連動モードを選択可能な選択手段と、該連動モードを解除する解除手段を備えたことを特徴とする。
【００１２】
請求項４の発明は、前記機器のうち、少なくとも１つが、前記他の機器の動作状態を把握する制御手段を備えたことを特徴とする。
【００１３】
請求項５の発明は、前記浴室空調機器と洗面所空調機器と給湯器のいずれかが所定モードで動作しているとき、他の機器の操作部によって他のモードが入力されたとき、その所定モードの動作を停止して他のモードに切り換わることを特徴とする。
【００１４】
請求項６の発明は、前記他のモードの運転が終了した後、元の運転モードに戻って動作することを特徴とする。
【００１５】
請求項７の発明は、前記浴室空調機器は、浴室を暖める第１暖房モードと、この第１暖房モードと異なる第２暖房モードとを有し、浴室空調機器が第１暖房モードで動作しているとき、所定の条件になったとき第２暖房モードに切り換わることを特徴とする。
【００１６】
請求項８の発明は、前記浴室空調機器は予備暖房モードを有し、他の機器の操作部によって予備暖房モードが設定されて浴室空調機器が予備暖房モードの動作を実行している時間と、この浴室空調機器の操作部によって設定された予備暖房モードを実行する時間とが異なるようにしたことを特徴とする。
【００１７】
請求項９の発明は、少なくとも２つの機器が連動して動作する際に、一方の機器と他方の機器とが交互に動作し、または一方の機器の動作が終了してから他方の機器が動作することを特徴とする。
【００１８】
請求項１０の発明は、前記各操作部は時刻を表示する表示部を有し、
各操作部の表示部が同一時刻を表示するように時刻を補正する補正手段を設けたことを特徴とする。
【００１９】
請求項１１の発明は、前記浴室空調機器は浴室空調機器本体を有し、前記操作手段の操作に基づいて各動作を制御する制御部を前記浴室空調機器本体に一体化して設けたことを特徴とする。
【００２０】
請求項１２の発明は、請求項１ないし請求項１０のいずれか１つに記載の空調システムに用いられる浴室空調機器であることを特徴とする。
【００２１】
請求項１３の発明は、請求項１ないし請求項１０のいずれか１つに記載の空調システムに用いられる洗面所空調機器であることを特徴とする。
【発明の効果】
【００２２】
この発明によれば、１つの操作部の操作で少なくとも２つの機器を動作させることができるので、各機器ごとの操作部を操作する必要がない。
【発明を実施するための最良の形態】
【００２３】
以下、この発明に係わる空調システムの実施例を図面に基づいて説明する。
【実施例】
【００２４】
［第１実施例］
図１はこの発明に係る空調システムの１つである浴室空調システム１０の構成を示したものである。
【００２５】
この浴室空調システム１０は、浴室１１に設けた浴室空調機器３０と、浴室１１の浴槽１２に湯張りが行える湯張り機能を有する給湯器２０と、洗面所１３に設けた洗面所空調機器５０とを備えている。また、浴室１１と台所１４にはそれぞれ給湯器２０の操作部であるリモートコントロール装置（リモコン：リモート操作部）１５,２５が設けられており、洗面所１３には浴室空調機器３０の操作部であるリモートコントロール装置（リモコン：リモート操作部）４０と洗面所空調機器５０の操作部であるリモートコントロール装置（リモコン：リモート操作部）６０とが設けられている。
［浴室空調機器３０］
浴室空調機器３０は、図２に示すように浴室１１の天井１１Ａに埋め込まれた筺体状の本体ケース３１を有し、この本体ケース３１の下面には、図３に示すように浴室１１（図１参照）の空気を吸気する吸込口３２と浴室１１へ空気を吹き出す吹出口３３とが設けられている。吹出口３３内には、ヒータＨ１（ＰＴＣヒータ：自己温度制御機能付きヒータ）が設けられており、吹出口３３から吹き出す空気をそのヒータＨ１によって暖めるようになっている。
【００２６】
また、本体ケース３１の側方には排気口３４（図２参照）が設けられており、この排気口３４には接続ダクト３４Ａが設けられている。この接続ダクド３４Ａには排気ダクト３５（図４参照）が接続されており、浴室１１の空気を排気ダクト３５を介して外へ排気できるようになっている。
【００２７】
また、本体ケース３１内にはダンパＤ１が設けられており、このダンパＤ１は図２に示す実線位置と破線位置と鎖線位置とに切り換え可能となっている。ダンパＤ１が実線位置に切り換わると吸込口３２と吹出口３３とが連通されてヒータＨ１の通電により暖房モードとなる。ダンパＤ１が鎖線位置に切り換わると吸込口３２と排気口３４とが連通されて換気モードとなる。また、ダンパＤ１が中間位置である破線位置に切り換わるとヒータＨ１の通電により乾燥モードとなり、衣類の乾燥が行えるようになっている。さらに、ヒータＨ１を非通電状態にすると涼風モードとしての風を吹出口３３から吹き出すようになっている。
【００２８】
暖房モードには、予備暖房と入浴暖房があり、入浴暖房は予備暖房に比べて後述する遠心ファンＦ１の回転速度が遅くなり、吹出口３３から吹き出す温風の速度が低下するようになっている。
【００２９】
また、本体ケース３１内には遠心ファンＦ１が設けられており、この遠心ファンＦ１によって吸込口３２から空気を吸気し、この吸気した空気を吹出口３３から吹き出させたり、排気口３４から排気したりするようになっている。Ｍ１は、遠心ファンＦ１を回転させるモータであり、換気モードや涼風モードや予備暖房のとき高速回転し、入浴暖房のとき低速回転する。ここでは、モータＭ１の回転速度を変えているが、ヒータＨ１の発熱量を変えてもよい。
［洗面所空調機器５０］
洗面所空調機器５０は、図４に示すように、洗面所１３の天井１３Ａに埋め込まれた筺体状の本体ケース５１を有し、この本体ケース５１の下面には、洗面所１３の空気を吸気する吸込口５２と、その吸気した空気を洗面所へ吹き出す吹出口５３とが設けられている。吹出口５３内には、ヒータＨ２（ＰＴＣヒータ）が設けられており、吹出口５３から吹き出す空気をそのヒータＨ２によって暖めるようになっている。なお、図４には給湯器２０と台所１４は省略してある。
【００３０】
本体ケース５１内には、遠心ファンＦ２が設けられており、この遠心ファンＦ２によって吸込口５２から空気を吸気し、この吸気した空気を吹出口５３から吹き出させるようになっている。遠心ファンＦ２はモータＭ３（図９参照）によって回転する。このモータＭ３は図４に図示しないが本体ケース５１に取り付けられている。
［リモコン４０］
浴室空調機器３０のリモコン４０には、図５に示すように、乾燥モードを設定する乾燥ボタン４１と、涼風モードを設定する涼風ボタン４２と、暖房モードを設定する暖房ボタン４３と、換気モードを設定する換気ボタン４４と、時刻や設定されたタイマ時間などを表示する表示部４５と、タイマの時刻を設定するタイマ設定ボタン４６Ａ,４６Ｂと、入りタイマや切タイマを切り替えるタイマ切替ボタン４７と、各ボタン４１〜４４によって設定された各モードを表示する表示ランプ４８ａ〜４８ｃ１,４８ｃ２,４８ｄ１,４８ｄ２と、入りタイマか切タイマかを表示する表示ランプ４９ａ,４９ｂ等とが設けられている。表示ランプ４８ｃ１は予備暖房（第１暖房モード）を表示するものであり、表示ランプ４８ｃ２は入浴暖房（第２暖房モード）を表示するものである。
【００３１】
表示ランプ４８ｄ１は換気モードの「強」を表示し、表示ランプ４８ｄ２は換気モードの「弱」を表示する。
【００３２】
換気ボタン４４は、押す毎に換気モードの「弱」,換気モードの「強」,換気モードの「オフ」がこの順序で繰り返し設定されていくようになっている。
【００３３】
乾燥ボタン４１は、押す毎に乾燥モードの「オン」と、乾燥モードの「オフ」とが交互に設定されていく。涼風ボタン４２も乾燥ボタン４１と同様であるので、その説明は省略する。
【００３４】
暖房ボタン４３は、押す毎に「予備暖房」と「入浴暖房」と「オフ」がこの順序で繰り返し設定されていくようになっている。
［リモコン６０］
洗面所空調機器５０のリモコン６０には、図６に示すように、暖房モードを設定する暖房ボタン６１と、涼風モードを設定する涼風ボタン６２と、時刻や設定されたタイマ時間などを表示する表示部６３と、タイマの時刻を設定するタイマ設定ボタン６４と、各ボタン６１,６２によって設定されたモードを表示する表示ランプ６４ａ,６４ｂ等とが設けられている。
【００３５】
暖房ボタン６１は、押す毎に暖房モードの「オン」と、暖房モードの「オフ」とが交互に設定されていく。涼風ボタン６２も暖房ボタン６１と同様であるので、その説明は省略する。
【００３６】
洗面所１３に設けるリモコン４０とリモコン６０は図１に示すようにそれぞれ別個に設けるが、図４および図７に示すように一体にして洗面所１３に設けてもよい。
［リモコン１５］
給湯器２０のリモコン１５には、図８Ａに示すように、湯張連動ボタン（連動スイッチ）１６Ａと、湯張ボタン（非連動スイッチ）１６Ｂと、暖房ボタン１６Ｃと、時刻を表示する表示部１７と、給湯するお湯の温度を表示する温度表示部１８Ａと、そのお湯の温度を設定する温度設定ボタン１８Ｂ,１８Ｃと、赤外線を発光する発光部１９等とが設けられている。  湯張連動ボタン１６Ａを押すと、給湯器２０は浴室１１の浴槽１２に湯張りを行ない、浴室空調機器３０は予備暖房を行い、洗面所空調機器５０は暖房を行うようになっている。そして、湯張りや予備暖房等が行われている際に、再度湯張連動ボタン１６Ａを押すと、湯張り予備暖房等が解除されるようになっている。
【００３７】
湯張ボタン１６Ｂを押すと、給湯器２０による湯張りのみが行われ、この湯張りが行われている際に、再度湯張ボタン１６Ｂを押すと湯張りが解除される。
【００３８】
暖房ボタン１６Ｃを押すと、浴室空調機器３０の予備暖房や入浴暖房が行われるとともに、洗面所空調機器５０の暖房が行われるようになっている。
【００３９】
暖房ボタン１６Ｃは、押す毎に「予備暖房」と「入浴暖房」と「オフ」がこの順序で繰り返し設定されていくようになっている。
【００４０】
発光部１９は、各ボタン１６Ａ〜１６Ｃの操作に応じた操作信号の赤外線を発光するようになっている。
【００４１】
リモコン２５は、発光部１９以外はリモコン１５と同様な構成となっているので、その説明は省略する。
［制御系］
図９は浴室空調システム１０の制御系の構成を示したブロック図である。図９において、１２１は給湯器２０に設けた加熱手段であり、この加熱手段１２１によって水を加熱する。１２２は加熱手段１２１によって加熱されたお湯の温度を検出する温度センサ、１２０は温度センサ１２２が検出する温度やリモコン１５からの操作信号に基づいて加熱手段１２１を制御するコントローラである。
【００４２】
Ｍ２は浴室空調機器３０のダンパＤ１を切り換えるモータ、１３１は浴室空調機器３０の吸込口３２に吸い込まれる空気の温度を検出する温度センサであり、この温度センサ１３１は吸込口３２内（図２参照）に設けられている。
【００４３】
１３２はリモコン１５の発光部１９から発光される赤外線を受光する受光部であり、この受光部１３２は本体ケース３１の下面（図２参照）に設置されている。
【００４４】
１３３はコントローラ（制御部）であり、このコントローラ１３３はリモコン４０の操作信号や受光部１３２の受光信号やリモコン２５の操作信号に基づいてモータＭ１,Ｍ２やヒータＨ１等を制御するようになっている。このコントローラ１３３は図示しない制御ボックスに設けられており、この制御ボックスは浴室空調機器３０の本体ケース（浴室空調機本体）３１内に一体化して設けられている。
【００４５】
制御ボックスを本体ケース３１内に一体化して設けたことにより、浴室空調機器３０を設置する空間の省スペース化を図ることができ、コントローラ１３３と浴室空調機器本体との間に設ける信号線やこの信号線を配線する部品が不要となり、コストの削減や施工の簡素化を図ることができる。また、制御ボックスが本体ケース３１内に設けられたことにより、コントローラ１３３はノイズの影響を受けにくいものとなる。
【００４６】
１５１は洗面所空調機器５０の吹出口５３から吹き出す空気の温度を検出する温度センサ、１５０はコントローラであり、このコントローラ１５０は、リモコン６０やリモコン２５の操作信号や温度センサ１５１が検出する温度等に基づいてモータＭ３やヒータＨ２を制御するようになっている。
【００４７】
そして、リモコン１５,２５,４０,６０は有線方式であるが、リモコン１５は浴室空調機器３０に対して無線方式となっている。
［動  作］
次に、上記のように構成される浴室空調システム１０の動作について説明する。
【００４８】
図１に示す浴室１１のリモコン１５の湯張連動ボタン１６Ａ（図８Ａ参照）を押すと、リモコン１５から操作信号が出力されて給湯器２０のコントローラ１２０（図９参照）に入力し、コントローラ１２０は加熱手段１２１を動作させて浴槽１２に湯張りを行う。
【００４９】
また、リモコン１５の発光部１９から操作信号である赤外線が発光され、この赤外線が浴室空調機器３０の受光部１３２が受光し、この受光部１３２から受光信号が出力されて浴室空調機器３０のコントローラ１３３に入力する。
【００５０】
コントローラ１３３は、受光部１３２の受光信号に基づいてモータＭ１,Ｍ２を動作させるとともにヒータＨ１を通電させる。
【００５１】
モータＭ２の駆動によりダンパＤ１は図２に示す実線位置へ移動され、モータＭ１の駆動により遠心ファンＦ１が高速回転する。遠心ファンＦ１の高速回転により、浴室空調機器３０の吸込口３２から浴室１１の空気が吸気される。この吸気された空気は、ダンパＤ１が実線位置に位置していることにより吹出口３３へ向かい、ヒータＨ１によって暖められて吹出口３３から浴室１１へ吹き出されていき、浴室１１の予備暖房が行われる。
【００５２】
他方、コントローラ１３３は、受光部１３２からの受光信号の入力により洗面所空調機器５０のコントローラ１５０へ暖房モードを設定する暖房モード信号を出力する。コントローラ１５０は、暖房モード信号を入力するとモータＭ３を駆動させるとともにヒータＨ２を通電する。
【００５３】
モータＭ３の駆動により遠心ファンＦ２が回転し、本体ケース５１の吸込口５２から洗面所１３の空気が吸気されていく。この吸気された空気はヒータＨ２により暖められて吹出口５３から洗面所１３へ吹き出していき、洗面所１３の暖房が行われる。
【００５４】
そして、給湯器２０による湯張りが所定時間（例えば約１時間）行われると、すなわち所定の条件になると、給湯器２０の湯張りが停止し、浴室空調機器３０は予備暖房から入浴暖房に切り換わる。すなわち、浴室空調機器３０の遠心ファンＦ１が低速回転となり、吹出口３３から吹き出す温風の風速が低下され、入浴者に吹出口３３から吹き出す温風が直接当たらないようにされる。つまり、体に強い風が当たることによりコールドドラフトを感じてしまうことが防止される。
【００５５】
台所１４に設けたリモコン２５の湯張連動ボタン１６Ａを操作しても、上記と同様にして、給湯器２０の湯張りが行われるとともに、浴室空調機器３０によって浴室１１の予備暖房や洗面所空調機器５０によって洗面所１３の暖房が行われる。
【００５６】
このように、リモコン１５,２５の湯張連動ボタン１６Ａを押せば、浴室１１の浴槽１２の湯張りが行われるとともに、浴室空調機器３０によって浴室１１の予備暖房や洗面所空調機器５０によって洗面所１３の暖房が行われるので、浴室空調機器３０および洗面所空調機器５０の専用のリモコン４０,６０をいちいち操作する必要がない。
［他の例のリモコン］
図８Ｂは他の例のリモコン１５′を示したものである。このリモコン１５′は、連動ボタン１６Ｄと非連動ボタン１６Ｅとを設け、連動ボタン１６Ｄを押して湯張ボタン１６Ｂを押すと、給湯器２０の湯張りが行われるとともに、浴室空調機器３０によって浴室１１の予備暖房や洗面所空調機器５０によって洗面所１３の暖房が行われ、非連動ボタン１６Ｅを押して湯張ボタン１６Ｂを押すと、給湯器２０の湯張りのみが行えるようにしたものである。
【００５７】
図８Ｃは、別な他の例のリモコン１５″を示したものである。このリモコン１５″は、連動ボタン１６Ｆを押す毎に連動モードと非連動モードとを交互に切り替えて設定していくものであり、連動モードが設定されているときに湯張ボタン１６Ｂを押すと、給湯器２０の湯張りが行われるとともに、浴室空調機器３０によって浴室１１の予備暖房や洗面所空調機器５０によって洗面所１３の暖房が行われ、非連動モードが設定されているときに湯張ボタン１６Ｂを押すと、給湯器２０の湯張りのみが行えるようにしたものである。
［他の動作］
図１６は浴室空調機器３０の他の動作の例を示したフロー図である。なお、Ｓはステップを示す。
【００５８】
ステップ２０では、外部入力があるか否かが判断される。すなわち、他のリモコン１５,２５の湯張連動ボタン１６Ａが押されたか否かが判断され、ノーであればステップ２２へ進み、イエスであればステップ２１へ進む。
【００５９】
ステップ２１では、浴室空調機器３０の予備暖房が１５分ないし２０分間行われる。すなわち、給湯器２０のリモコン１５,２５の湯張連動ボタン１６Ａが押されると、浴室空調機器３０の予備暖房が１５分ないし２０分間行われる。
【００６０】
リモコン４０の暖房ボタン４３により予備暖房が設定されると、ステップ２０でノーと判断されてステップ２２へ進み、ステップ２２でイエスと判断されてステップ２３へ進むことになる。そして、ステップ２３では、１時間の予備暖房が行われて終了する。
【００６１】
リモコン１５,２５およびリモコン４０が操作されない場合には、ステップ２０,２２でそれぞれノーと判断され、リモコン１５,２５,４０が操作されるまでステップ２０,２２の処理動作が繰り返し行われることになる。
【００６２】
上述のように、給湯器２０のリモコン１５,２５の湯張連動ボタン１６Ａが押されると、浴室空調機器３０の予備暖房が１５分ないし２０分間行われるので、湯張りが完了した後に直ぐに入浴しても予備暖房が動作し続けていることがなく、このため予備暖房によるコールドドラフトを防止することができる。
【００６３】
この実施例では、ステップ２１で予備暖房を１５分ないし２０分間行った後終了するが、ステップ２１の後に入浴暖房を例えば３０分ないし１時間行って終了するようにしてもよい。
［他の別な動作］
図１７は他の別な動作を示したフロー図である。
【００６４】
ステップ３０では、浴室空調機器３０のコントローラ１３３や洗面所空調機器５０のコントローラ１５０（図９参照）が湯張り信号を受信する。すなわち、リモコン１５,２５の湯張連動ボタン１６Ａが押されて、リモコン１５,２５から送信される湯張連動ボタン１６Ａの操作信号（湯張り開始信号）をコントローラ１３３が受信する。
【００６５】
ステップ３１では、浴室空調機器３０は予備暖房を行い、洗面所空調機器５０は暖房を行う。
【００６６】
ステップ３２では、給湯器２０から湯張りが停止されたこと示す湯張り停止信号をコントローラ１３３,１５０が受信したか否かが判断され、ノーであればステップ３２へ戻り、イエスであればステップ３３は進む。
【００６７】
ステップ３３では、コントローラ１３３が湯張り停止信号を受信すると浴室空調機器３０は入浴暖房に切り替わり、コントローラ１５０が湯張り停止信号を受信すると洗面所空調機器５０は暖房を停止する。
【００６８】
ステップ３４では、浴室空調機器３０の入浴暖房が開始されてから所定時間経過したか否かが判断される。すなわち、タイムアップしたか否かが判断される。また、入浴暖房を停止する停止信号を受信したか否かが判断される。このどちらもノーであればステップ３４へ戻り、タイムアップするか停止信号を受信するまでステップ３４の処理動作が繰り返し行われる。
【００６９】
タイムアップすると、または停止信号を受信すると入浴暖房が停止されて終了する。
【００７０】
上述のように、湯張りが停止すると予備暖房から入浴暖房に自動的に切り替わるので、入浴時に予備暖房によるコールドドラフトを防止することができる。
【００７１】
また、上記実施例では、湯張り停止信号を受信したときに予備暖房から入浴暖房に切り替わるが、予備暖房が所定時間行われた後、あるいは浴室１１が所定温度になったとき、予備暖房から入浴暖房に切り替えてもよい。
【００７２】
上記実施例では、浴室空調機器３０や洗面所空調機器５０は１００Ｖの電源で駆動されるが、例えば浴室空調機器３０を２００Ｖの電源で駆動するようにすれば、電源系統が別になり、高出力化してもブレーカが落ちてしまうことを防止することができる。
［第２実施例］
図１８は浴室空調システム１０の第２実施例の動作を示したフロー図である。
【００７３】
ステップ４０では、浴室空調機器３０のコントローラ１３３や洗面所空調機器５０のコントローラ１５０（図９参照）が湯張り信号を受信する。すなわち、リモコン１５,２５の湯張連動ボタン１６Ａが押されて、リモコン１５,２５から送信される湯張り開始信号をコントローラ１３３,１５０が受信する。
【００７４】
ステップ４１では、浴室空調機器３０が予備暖房の交互運転を開始する。他方、ステップ４６では、洗面所空調機器５０が暖房の交互運転を開始する。
【００７５】
浴室空調機器３０および洗面所空調機器５０の交互運転は、図１９に示すように、浴室空調機器３０が予備暖房運転をしているとき、洗面所空調機器５０の暖房運転を停止させ、浴室空調機器３０の予備暖房運転が停止しているとき洗面所空調機器５０の暖房運転を行うものである。
【００７６】
このように、浴室空調機器３０の予備暖房運転と洗面所空調機器５０の暖房運転を交互に行っていくものである。
【００７７】
ステップ４２では、浴室１１の温度が予め設定した設定温度に到達したか、あるいは交互運転を開始してから所定時間が経過した否かが判断され、ノーであればステップ４２へ戻り、イエスになるまでステップ４２の処理動作が繰り返し行われる。
【００７８】
浴室１１の温度が所定温度になると、あるいは所定時間が経過するとステップ４２でイエスと判断されてステップ４３へ進む。
【００７９】
ステップ４３では、浴室空調機器３０は予備暖房運転から入浴暖房運転に切り替わる。この入浴暖房は連続運転となる。
【００８０】
この入浴暖房は、遠心ファンＦ１の回転速度を低速にするものであるから、予備暖房より電力を必要としない。
【００８１】
ステップ４４では、入浴暖房が所定時間行われたか否か、すなわち入浴暖房の開始と同時に計時を開始していく内部タイマがタイムアップしたか否かが判断され、ノーであればステップ４４へ戻り、入浴暖房が所定時間行われるまでステップ４４の処理動作が繰り返し行われる。
【００８２】
入浴暖房が所定時間行われると、ステップ４４でイエスと判断されてステップ４５へ進む。
【００８３】
ステップ４５では、浴室空調機器３０の入浴暖房が停止して終了する。
【００８４】
一方、ステップ４７では、洗面所１３（図１参照）の温度が設定温度に到達したか否かが判断され、ノーであればステップ４７へ戻り、その温度が設定温度に到達するまでステップ４７の処理動作が繰り返し行われる。
【００８５】
なお、浴室１１の温度や洗面所１３の温度はサーミスタなどの温度センサ（図示せず）を設けて検知するものである。
【００８６】
洗面所１３の温度が設定温度になると、ステップ４７でイエスと判断されてステップ４８へ進む。
【００８７】
ステップ４８では、洗面所空調機器５０の暖房運転が停止されて終了する。
【００８８】
このように、浴室空調機器３０の予備暖房運転と洗面所空調機器５０の暖房運転が交互に行われるものであるから、不意のブレーカ落ちを防止することができる。
【００８９】
この第２実施例では、浴室空調機器３０の予備暖房から入浴暖房に切り替わる前は、浴室空調機器３０の入浴暖房と洗面所空調機器５０の暖房運転とが交互に行われるが（洗面所空調機器５０の暖房運転は断続的に行われるが）、入浴暖房に切り替わった以後は、浴室空調機器３０の消費電力が小さくなることにより、洗面所空調機器５０の暖房運転を連続して行ってもよい。
【００９０】
また、浴室空調機器３０の予備暖房を行っている期間Ｔ１（図１９参照）と、洗面所空調機器５０の暖房運転を行っている期間Ｔ２とが同じである必要はなく、一方を長くし他方を短くしてもよい。また、期間Ｔ３と期間Ｔ２が同じである必要もなく、Ｔ３＞Ｔ２であればよい。
［他の動作］
図２０は第２実施例の他の処理動作のフロー図を示したものである。
【００９１】
ステップ５０では、浴室空調機器３０のコントローラ１３３や洗面所空調機器５０のコントローラ１５０（図９参照）が湯張り信号を受信する。すなわち、リモコン１５,２５の湯張連動ボタン１６Ａが押されて、リモコン１５,２５から送信される湯張り開始信号をコントローラ１３３,１５０が受信する。
【００９２】
ステップ５１では、浴室空調機器３０が予備暖房の運転を開始する。ステップ５２では、浴室１１の温度が予め設定した設定温度に到達したか、あるいは交互運転を開始してから所定時間が経過した否かが判断され、ノーであればステップ５２へ戻り、イエスになるまでステップ５２の処理動作が繰り返し行われる。
【００９３】
浴室１１の温度が所定温度になると、あるいは所定時間が経過するとステップ５２でイエスと判断されてステップ５３へ進む。
【００９４】
ステップ５３では、浴室空調機器３０は予備暖房運転から入浴暖房運転に切り替わる。
【００９５】
他方、浴室空調機器３０の入浴暖房運転が開始されると、ステップ５６では、洗面所空調機器５０の暖房の運転が開始され、浴室空調機器３０の入浴暖房運転と洗面所空調機器５０の暖房運転とが並行して行われることになる。
【００９６】
ステップ５４では、入浴暖房が所定時間行われたか否か、すなわち入浴暖房の開始と同時に計時を開始していく内部タイマがタイムアップしたか否かが判断され、ノーであればステップ５４へ戻り、入浴暖房が所定時間行われるまでステップ５４の処理動作が繰り返し行われる。
【００９７】
入浴暖房が所定時間行われると、ステップ５４でイエスと判断されてステップ５５へ進む。
【００９８】
ステップ５５では、浴室空調機器３０の入浴暖房が停止して終了する。
【００９９】
一方、ステップ５７では、洗面所１３（図１参照）の温度が設定温度に到達したか否かが判断され、ノーであればステップ５７へ戻り、その温度が設定温度に到達するまでステップ５７の処理動作が繰り返し行われる。
【０１００】
洗面所１３の温度が設定温度になると、ステップ５７でイエスと判断されてステップ５８へ進む。
【０１０１】
ステップ５８では、洗面所空調機器５０の暖房運転が停止されて終了する。
【０１０２】
このように、浴室空調機器３０の予備暖房が行われた後、すなわち消費電力が少ない入浴暖房が行われているとき、洗面所空調機器５０の暖房運転が行われるので、不意のブレーカ落ちを防止することができる。
［専用リモコンによる動作］
次に、各専用のリモコン４０,６０を操作した場合の動作について説明する。
【０１０３】
浴室空調機器３０のリモコン４０の乾燥ボタン４１を押せば、乾燥モードが設定されてダンパＤ１が図２に示す破線位置に切り換わるとともに、モータＭ１が駆動されて遠心ファンＦ１が高速回転され、浴室空調機器３０の吸込口３２から浴室１１の空気が吸気される。また、ヒータＨ１が通電される。ダンパＤ１が破線位置へ切り換わることにより、吸込口３２から吸い込まれた浴室１１の空気の一部が排気ダクト３５を介して外へ排気され、残り空気はヒータＨ１によって暖められて吹出口３３から浴室１１へ吹き出されていく。これにより、浴室１１が暖められていく。
【０１０４】
このように、湿った浴室の空気が排気ダクト３５を介して外へ排気され、この排気により、浴室１１のドア（図示せず）に設けてある図示しないガラリ（アンダーカット）等から乾燥した空気が取り入れられ、さらに浴室１１が暖められていくので、浴室１１に干した衣類などの洗濯物の乾燥をより早く乾燥させることができる。
【０１０５】
また、リモコン４０の涼風ボタン４２を押せば涼風モードが設定され、ダンパＤ１が破線の位置に切り換えられて、ヒータＨ１が非通電状態となる。また、モータＭ１が駆動されて遠心ファンＦ１の回転により、浴室空調機器３０の吸込口３２から浴室１１の空気が吸い込まれて吹出口３３から吹き出すとともに一部空気が排気ダクト３５を介して排気される。すなわち、浴室空調機器３０は送風機として機能することになる。
【０１０６】
リモコン４０の換気ボタン４４が押されて換気モードが設定されると、ダンパＤ１は鎖線位置へ切り換わり、ヒータＨ１は非通電状態のままモータＭ１が駆動される。モータＭ１の駆動により遠心ファンＦ１が高速回転して、浴室空調機器３０の吸込口３２から浴室１１の空気が吸い込まれ、この空気が排気ダクト３５を介して外へ排気される。これにより、浴室１１の換気が行われる。
【０１０７】
リモコン４０の暖房ボタン４３が押されて入浴暖房が設定されると、ダンパＤ１は実線位置へ切り換わり、ヒータＨ１は通電される。そして、モータＭ１が駆動されて遠心ファンＦ１が低速回転される。この遠心ファンＦ１の低速回転により、浴室空調機器３０の吸込口３２から浴室１１の空気が吸気される。この吸気された空気は、ヒータＨ１によって暖められて吹出口３３から浴室１１へ吹き出されていき、浴室１１の入浴暖房が行われる。
【０１０８】
暖房ボタン４３により予備暖房が設定された場合には、遠心ファンＦ１が高速回転されるだけで、他は入浴暖房と同じなのでその説明は省略する。
【０１０９】
洗面所１３のリモコン６０の暖房ボタン６１が押されて、洗面所空調機器５０の暖房モードが設定されると、ヒータＨ２が通電されるとともにモータＭ３が駆動されて遠心ファンＦ２が回転され、この遠心ファンＦ２の回転により本体ケース５１の吸込口５２から洗面所１３の空気が吸気されていく。この吸気された空気はヒータＨ２により暖められて吹出口５３から洗面所１３へ吹き出していき、洗面所１３の暖房が行われる。
【０１１０】
リモコン６０の涼風ボタン６２が押されて涼風モードが設定されると、遠心ファンＦ２は回転されたままヒータＨ２が非通電となる。このヒータＨ２の非通電により、吹出口５３から吹き出す空気は暖められないことになる。すなわち、洗面所空調機器５０は送風機として機能することになる。
【０１１１】
上記実施例では、給湯器２０のリモコン１５,２５を２つ設けているが、どちらか一方だけであってもよい。また、洗面所に設けて３つにしてもよいし、洗面所だけでもよい。
【０１１２】
また、給湯器２０のリモコン１５と、浴室空調機器３０のリモコン４０と、洗面所空調機器５０のリモコン６０とを１つのリモコンにして例えば洗面所１３などに設けてもよい。
［第３実施例］
図１０は浴室空調機器３０の第３実施例のコントローラ１３４の構成を示したブロック図である。図１０において、１３４Ａ,１３４ＢはモータＭ１,Ｍ２を制御する制御手段、１３４ＣはヒータＨ１を制御するヒータ制御手段、１３４Ｄは外部入力手段、１３４Ｅはリモコン入力手段、１３４Ｆはリモコン出力手段、１３４Ｇは制御部である。１３５は外部機器であり、この外部機器１３５は図９に示すリモコン１５,２５やコントローラ１５０であり、ここではこれらを概念的に示したものである。
［動  作］
次に、第３実施例のコントローラ１３４の動作を図１１に示したフロー図に基づいて説明する。なお、Ｓはステップを示す。
【０１１３】
いま、例えばリモコン４０（図９参照）により入浴暖房が設定され、浴室空調機器３０が入浴暖房の動作（運転）を行っているとき、ステップ１では外部入力、すなわち外部機器１３５からの入力があるか否かが判断され、無ければノーと判断されてステップ１へ戻り、外部入力があるまでステップ１の動作が繰り返し行われる。外部入力があると、ステップ１でイエスと判断されてステップ２へ進む。
【０１１４】
ステップ２では、同一運転モードか否かが判断される。すなわち、リモコン１５,２５の暖房ボタン１６Ｃによって入浴暖房が設定されたか否かが判断され、ノーであればステップ４へ進み、イエスであればステップ３へ進む。
【０１１５】
リモコン１５,２５によって入浴暖房が設定された場合、イエスと判断されてステップ３へ進む。ステップ３ではタイマが再設定される。
【０１１６】
すなわち、リモコン４０により入浴暖房が設定されると、浴室空調機器３０は１時間だけ入浴暖房を行うようになっており、例えば５０分経過したときに、リモコン１５,２５により入浴暖房が再設定されると、この入浴暖房が再設定された時点から１時間続行される。つまり、入浴暖房が１時間５０分行われることになる。
【０１１７】
このため、内部タイマの残余時間（１０分）が少なくなっているときに給湯が完了し、この後に入浴すると、この入浴時に入浴暖房が止まってしまうということを防止することができる。
【０１１８】
ステップ４では、外部機器１３５により異なるモードが設定された場合には、その異なるモードに切り替える切替処理が行われる。例えば、湯張りを行う前に浴室１１を暖房する目的で浴室空調機器３０により入浴暖房を行っているとき、リモコン２５（図１および図９参照）の湯張連動ボタン１６Ａ（図８参照）を押すと、給湯器２０により浴室１１の浴槽１２に湯張りが行われるとともに、リモコン２５からの操作信号が浴室空調機器３０のコントローラ１３４の外部入力手段１３４Ｄに入力される。この入力により制御部１３４Ｇは予備暖房モードに切り替えて浴室空調機器３０は予備暖房を行うことになる。リモコン１５で操作した場合も上記と同様に処理動作が行われる。
［他の例］
図１２Ａはコントローラ１３４の他の例の動作を示したフロー図である。なお、ステップ１〜ステップ４の処理動作は図１１に示すフロー図と同じなのでその説明は省略する。
【０１１９】
ステップ２Ａでは、内部タイマの残余時間が予め設定した所定時間ｔより大きいか否かが判断される。つまり、浴室空調機器３０は入浴暖房が設定されると１時間だけ入浴暖房を行うようになっており、この１時間を内部タイマが計時している。そして、この内部タイマの残り時間が少ない場合、ノーと判断されてステップ３へ進み、その残り時間が多い場合、イエスと判断されてステップ５へ進む。
【０１２０】
ステップ５では、内部タイマの計時をそのまま続行させる。すなわち、入浴暖房を１時間だけ行うものである。
【０１２１】
このように、内部タイマの残り時間が少ない場合には、ステップ３でタイマを再設定して、上述の入浴時に入浴暖房が止まってしまうということを防止するものであり、内部タイマの残り時間が多い場合には、入浴時に入浴暖房が止まってしまうということがないので、そのまま内部タイマの計時を続行させるものである。
【０１２２】
このフロー図の処理動作によれば、入浴暖房が行われる時間が必要以上に長くなってしまうことを防止することができる。
［その他の例］
図１２Ｂはコントローラ１３４の別な他の例の動作を示したフロー図である。
【０１２３】
このフロー図では、ステップ２で同一運転モードと判断されたときステップ５へ進み、ステップ５では、そのまま内部タイマの計時を続行させるものである。
【０１２４】
この別な他の例によれば、タイマ残時間のみの運転のため、入浴暖房時間を必要最低限にでき、省電力化を図ることができる。
【０１２５】
図１２Ｃは図１２Ａの他の例の動作を示したフロー図であり、ステップ４Ａで別モード運転を行い、この別モード運転が終了したらステップ２Ａに戻るようにしたものである。
【０１２６】
図１２Ｄは図１２Ｂの他の例の動作を示したフロー図であり、ステップ４Ａで別モード運転を行い、この別モード運転が終了したらステップ５に戻るようにしたものである。
［第４実施例］
図１３は第４実施例の浴室空調システム１０（図１参照）の台所１４に設けたリモコン２２５を示す。
【０１２７】
このリモコン２２５には、乾燥ボタン２０１と、換気ボタン２０２と、浴室空調機器３０の運転状況を示す表示部２０３が設けられている。そして、乾燥ボタン２０１を押すと浴室空調機器３０の乾燥が行われ、換気ボタン２０２を押すと浴室空調機器３０の換気が行われるようになっている。
【０１２８】
なお、浴室空調機器３０は第３実施例のコントローラ１３４を備えている。
［動  作］
次に、第４実施例の浴室空調システム１０の動作を図１４に示すフロー図に基づいて説明する。
【０１２９】
いま、例えばリモコン４０（図９参照）により換気モードが設定され、浴室空調機器３０が浴室１１の換気を行っているとき、ステップ１０では外部入力、すなわち外部機器１３５であるリモコン２２５からの入力があるか否かが判断され、なければノーと判断されてステップ１０へ戻り、外部入力があるまでステップ１０の動作が繰り返し行われる。
【０１３０】
外部入力があると、例えばリモコン２２５の乾燥ボタン２０１が押されると、ステップ１０でイエスと判断されてステップ１１へ進む。
【０１３１】
ステップ１１では、リモコン２２５の乾燥ボタン２０１が押されたことにより、浴室空調機器３０が換気モードから乾燥モードに切り替わり、浴室空調機器３０は浴室１１の乾燥を行う。
【０１３２】
また、浴室空調機器３０の制御部１３４Ｇは、浴室１１の乾燥を行っていることを示す表示信号をリモコン２２５へ送る。リモコン２２５は、表示信号を受信して表示部２０３に乾燥運転を行っていることを表示する（ステップ１２）。
【０１３３】
乾燥運転が行われないときには、すなわちリモコン２２５が表示信号を所定時間以内に受信しないとき、リモコン２２５の図示しないランプは点滅表示などによりエラー表示を行う。
【０１３４】
この第４実施例では、給湯器２０のリモコン２２５によって浴室空調機器３０の運転を切り替えるようにしたものであるが、他の機器によって切り替えが行えるようにしてもよい。
【０１３５】
この第４実施例によれば、外部機器により浴室空調機器３０の運転を切り替えることができるので、非常に使い勝手のよいシステムとなる。
【０１３６】
この第４実施例では、リモコン２２５を台所１４に設けているが、浴室１１でも洗面所１３でもよく、台所１４,浴室１１,洗面所１３にそれぞれ設けてもよく、あるいは特定の場所に設けるようにしてもよい。また、ランプの点滅表示によりエラー表示を行うようにしているが、浴室空調機器３０が行っている動作をリモコン２２５に表示して、浴室空調機器３０の動作を把握できるようにしてもよい。
［他の例］
図１５は他の例の処理動作を示したフロー図である。なお、ステップ１０〜ステップ１２の処理動作は図１４に示すフロー図と同じなのでその説明は省略する。
【０１３７】
ステップ１０Ａでは、外部入力手段１３４Ｄ（図１０参照）に入力したモード信号と、浴室空調機器３０が運転している運転モードとの優先順位が比較され、入力したモード信号の優先順位が運転モードの優先順位より低い場合、ノー判断されてステップ１０へ戻り、モード信号の優先順位が運転モードの優先順位より高い場合イエスと判断されてステップ１１へ進む。
【０１３８】
例えば、リモコン４０の操作により浴室空調機器３０が浴室１１の換気を行っているとき、給湯器２０のリモコン２２５の乾燥ボタン２０１が押されると、ステップ１０Ａでは、換気モードの優先順位と乾燥モードの優先順位とが比較され、乾燥モードの優先順位が換気モードの優先順位より高いとき、浴室空調機器３０は浴室１１の換気運転を停止して浴室１１の乾燥運転を行う。
【０１３９】
この実施例によれば、浴室空調機器３０が優先順位の高いモードで運転されている場合、外部機器１３５によって優先順位の低い運転モードに切り替えることができないので、外部機器１３５によって浴室空調機器３０の運転モードがむやみに切り替わってしまうことを防止することができる。
［第５実施例］
図２１は第５実施例を示す。図２１において、６１５は給湯器２０（図１参照）の給湯器リモコンであり、図１に示すように浴室１１や台所１４に設置される。６４０は浴室空調機器３０のリモコン（バス乾リモコン）であり、洗面所１３などに設置される。６６０は洗面所空調機器５０のリモコン（洗面所リモコン）であり、洗面所に設置される。
【０１４０】
給湯器リモコン６１５は、時刻を表示する表示部６１６と、所定の時刻になったとき時刻を補正する補正信号をバス乾燥リモコン６４０へ送信する送信手段６１７と、この送信手段６１７等を制御するＣＰＵ等からなる制御部６１８等とを備えており、親リモコンとして機能するようになっている。また、給湯器リモコン６１５は、図８に示すリモコン１５と同様に各ボタン１６Ａ〜１６Ｃ等を備えているが説明の便宜上省略してある。
【０１４１】
バス乾リモコン６４０は、時刻を表示する表示部６４１と、給湯器リモコン６１５から送信されてくる補正信号を受信する受信部６４２と、この受信部６４２が補正信号を受信したとき表示部６４１に表示されている時刻を補正するＣＰＵ等からなる制御部６４３と、受信部６４２が受信した補正信号を送信する送信手段６４４等とを備えており、子リモコンとして機能するようになっている。また、バス乾リモコン６４０は、図５に示すリモコン４０と同様に各ボタン４１〜４４等を備えているが説明の便宜上省略してある。
【０１４２】
洗面所リモコン６６０は、時刻を表示する表示部６６１と、バス乾リモコン６４０から送信されてくる補正信号を受信する受信部６６２と、この受信部６６２が補正信号を受信したとき表示部６６１に表示されている時刻を補正するＣＰＵ等からなる制御部６６３とを備えており、子リモコンとして機能するようになっている。また、洗面所リモコン６６０は、図６に示すリモコン６０と同様に各ボタン６１,６２等を備えているが説明の便宜上省略してある。
【０１４３】
そして、給湯器リモコン６１５の送信手段６１７と、バス乾リモコン６４０の受信部６４２と、御部６４３と、送信手段６４４と、洗面所リモコン６６０の受信部６６２と、制御部６６３とが各表示部６４１,６６１の時刻を補正する補正手段として機能する。
［動  作］
次に、第５実施例の動作について説明する。
【０１４４】
給湯器リモコン６１５の表示部６１６に表示されている時刻が例えば１２：００になったとき、送信手段６１７がバス乾リモコン６４０へ補正信号を送信する。
【０１４５】
バス乾リモコン６４０は、受信部６４２が補正信号を受信すると、表示部６４１に表示されている時刻を１２：００に補正する。また、受信部６４２が補正信号を受信すると、送信部６４４がその受信した補正信号を洗面所リモコン６６０へ送信する。
【０１４６】
洗面所リモコン６６０は、受信部６６２が補正信号を受信すると、表示部６６１に表示されている時刻を１２：００に補正する。
【０１４７】
このように、給湯器リモコン６１５の表示部６１６の時刻が１２：００になると、給湯器リモコン６１５から補正信号が送信されてバス乾リモコン６４０の表示部６４１の時刻が１２：００に補正されるとともに、洗面所リモコン６６０の表示部６６１の時刻が１２：００に補正されるので、３つのリモコン６１５,６４０,６６０の時刻を一致させることができる。
【０１４８】
このため、それぞれのリモコン６１５,６４０,６６０でタイマ設定した場合、例えば給湯器２０,浴室空調機器３０および洗面所空調機器５０を同時刻に運転開始するように設定した場合、給湯器２０,浴室空調機器３０および洗面所空調機器５０がそれぞれ時間がズレて運転を開始してしまうということを防止することができ、確実に同時刻に運転を開始させることができる。
【０１４９】
リモコン６１５,６４０の送信手段６１７,６４４は有線や無線であり、また、リモコン６１５の送信手段６１７から送信される補正信号を洗面所リモコン６６０の受信部６６２が直接受信するようにしてもよい。また、時刻の補正は１日１回である必要はなく、１日数回おこなってもよい。
【０１５０】
また、この第５実施例では、所定の時刻になったとき補正信号を送信するようにしているが、リモコン６１５の操作ボタン（図示せず）のいずれかを押したとき、補正信号を送信するようにしてもよい。
【０１５１】
第５実施例では、給湯器リモコン６１５を親リモコンにしているが、バス乾リモコン６４０や洗面所リモコン６６０を親リモコンとしてもよい。
［第６実施例］
図２２は第６実施例を示す。図２２において、７４０は浴室空調機器３０（図１参照）のリモコン（バス乾リモコン）であり、例えば洗面所１３に設置される。７１５は給湯器２０のリモコン（給湯器リモコン）であり、洗面所１３に設置される。７６０は洗面所空調機器５０のリモコン（洗面所リモコン）であり、洗面所に設置される。これら、リモコン７１５,７４０,７６０は互いに隣接して配置されている。
【０１５２】
バス乾リモコン７４０は、時刻を表示する表示部７４１と、時計無表示信号を給湯リモコン７１５へ送信する送信手段７４２と、この送信手段７４２等を制御するＣＰＵ等からなる制御部７４３と、送信手段７４２から時計無表示信号を出力させるための操作ボタン７４４等とを備えており、親リモコンとして機能するようになっている。また、バス乾リモコン７４０は、図５に示すリモコン４０と同様に各ボタン４１〜４４等を備えているが説明の便宜上省略してある。
【０１５３】
給湯器リモコン７１５は、時刻を表示する表示部７１６と、バス乾リモコン７４０から送信されてくる時計無表示信号を受信する受信部７１７と、この受信部７１７が時計無表示信号を受信したとき表示部７１６の時刻表示を無表示にするＣＰＵ等からなる制御部７１８と、受信部７１７が受信した時計無表示信号を洗面所リモコン７６０へ送信する送信手段７１９等とを備えており、子リモコンとして機能するようになっている。また、給湯器リモコン７１５は、図８に示すリモコン１５と同様に各ボタン１６Ａ〜１６Ｃ等を備えているが説明の便宜上省略してある。
【０１５４】
洗面所リモコン７６０は、時刻を表示する表示部７６１と、バス乾リモコン６４０から送信されてくる時計無表示信号を受信する受信部７６２と、この受信部７６２が時計無表示信号を受信したとき表示部７６１の時刻表示を無表示にするＣＰＵ等からなる制御部７６３等とを備えており、子リモコンとして機能するようになっている。また、洗面所リモコン７６０は、図６に示すリモコン６０と同様に各ボタン６１,６２等を備えているが説明の便宜上省略してある。
［動  作］
次に、第６実施例の動作について説明する。
【０１５５】
バス乾リモコン７４０の操作ボタン７４４を押すと、バス乾リモコン７４０の送信手段７４２が時計無表示信号を給湯リモコン７１５へ送信する。給湯リモコン７１５の受信部７１７がその時計無表示信号を受信すると、制御部７１８が表示部７１６の時刻表示を無表示にする。
【０１５６】
また、給湯リモコン７１５の送信部７１９は、受信部７１７が時計無表示信号を受信すると、その時計無表示信号を洗面所リモコン７６０へ送信する。
【０１５７】
洗面所リモコン７６０の受信部７６２がその時計無表示信号を受信すると、制御部７６３が表示部７６１の時刻表示を無表示にする。
【０１５８】
このように、バス乾リモコン７４０の操作ボタン７４４を押すと、給湯リモコン７１５の表示部７１６と、洗面所リモコン７６０の表示部７６１とが無表示となり、バス乾リモコン７４０の表示部７４１のみに時刻が表示されるので、接近して配置されている３つのリモコン７４０,７１５,７６０の時刻が異なっていてもユーザが混乱してしまうことを防止することができる。
【０１５９】
また、１つの表示部７４１のみが時刻を表示するものでるから、無駄な待機電力を消費してしまうことを防止することができる。
【０１６０】
リモコン７４０,７１５,７６０の送信手段７４２,７１９は有線や無線であり、また、バス乾リモコン７４０の送信手段７４２から送信される時計無表示信号を洗面所リモコン７６０の受信部７６２が直接受信するようにしてもよい。
【０１６１】
また、この第６実施例では、操作ボタン７４４をバス乾リモコン７４０に設けているが、他のリモコン７１５,７６０に設けてもよい。すなわち、給湯器リモコン７１５や洗面所リモコン７６０を親リモコンとしてもよい。
［第７実施例］
図２３は第７実施例の浴室空調システムの構成を示す。なお、図２３では図１に示す給湯器２０と台所１４は省略してある。
【０１６２】
図２３に示す洗面所空調機器３５０は、ダンパＤ２を備えるとももに換気モードを有している。洗面所空調機器３５０の本体ケース３５１には、排気口３５２が設けられており、この排気口３５２の接続ダクト３５２Ａには排気用接続ダクト３５３の一端が接続されている。ダンパＤ２は実線位置と破線位置とに切り換え可能となっている。
【０１６３】
一方、浴室空調機器３０の本体ケース３３１には、接続口３３２が形成され、この接続口３３２の接続ダクト３３２Ａには排気用接続ダクト３５３の他端が接続されている。
【０１６４】
そして、洗面所空調機器３５０が排気モードに設定されると、ダンパＤ２が実線位置に切り換えられ、本体ケース３５１の吸込口５２から吸気された洗面所１３の空気は、排気口３５２から接続ダクト３５３を介して浴室空調機器３０の本体ケース３３１内へ導入され、さらに排気口３４から排気ダクト３５を介して外へ排気されることになる。
【０１６５】
この第７実施例では、浴室空調機器３０のダンパＤ１が実線位置に切り換えられているとき洗面所空調機器３５０を排気モードに設定することが可能となる。
【０１６６】
また、洗面所空調機器３５０は、洗面所空調機器５０と同様に暖房モードや涼風モードを有している。
【０１６７】
この第７実施例の浴室空調システムは、第１実施例ないし第６実施例の動作とと同様な動作を行うようになっている。
［他の例］
図２４は第７実施例の他の例を示したものである。この他の例は、Ｙ管の排気ダクト３３５を使用したものである。すなわち、排気ダクト３３５の一方の枝管３３５Ａに洗面所空調機器３５０の本体ケース３５１の接続ダクト３５２Ａに接続し、他方の枝管３３５Ｂに浴室空調機器３０の本体ケース３１の接続ダクト３４Ａに接続し、洗面所空調機器３５０を単独で洗面所の排気が行えるようにしたものである。
［第８実施例］
図２５ないし図２７は第８実施例の浴室空調機器４１０を示したものである。
【０１６８】
浴室空調機器４１０は、換気ユニット４１１と暖房ユニット（輻射暖房ユニット）４２０とを備え、換気ユニット４１１と暖房ユニット４２０とが一体となっている。
【０１６９】
換気ユニット４１１は、天井４０１の開口４０２に埋め込まれる筺体状の換気ケース４１２を有している。暖房ユニット４２０はステー４０３を介して換気ケース４１２の下面に取り付けられており、天井４０１より下方に位置している。
【０１７０】
換気ケース４１２の下面には、浴室１１（図１参照）内の空気を吸気する吸込口（給気開口）４１３と浴室１１内へ温風を吹き出す吹出口４１４とが設けられている。吹出口４１４内にはヒータＨ４（ＰＴＣヒータ：自己温度制御機能付きヒータ）が設けられており、吹出口４１４から吹き出す空気をそのヒータＨ４によって暖めるようになっている。
【０１７１】
また、換気ケース４１２の側方には排気口４１５が設けられており、この排気口４１５には接続ダクト４１５Ａが設けられている。この接続ダクド４１５Ａには排気ダクト３５（図４参照）が接続され、浴室１１内の空気を外へ排気できるようになっている。
【０１７２】
また、換気ケース４１２内にはダンパＤ３が設けられており、このダンパＤ３は図２７に示す実線位置と破線位置と鎖線位置とに切り換え可能となっている。ダンパＤ３が実線位置に切り換わると吸込口４１３と吹出口４１４とが連通されてヒータＨ４の通電により暖房モードとなる。ダンパＤ３が破線位置に切り換わると吸込口４１３と排気口４１５とが連通されて換気モードとなる。また、ダンパＤ３が中間位置である鎖線位置に切り換わるとヒータＨ４の通電により乾燥モードとなり、衣類の乾燥が行えるようになっている。さらに、ヒータＨ４を非通電状態にすると涼風モードとしての風を吹出口４１４から吹き出すようになっている。
【０１７３】
また、換気ケース４１２内には遠心ファンＦ３が設けられており、この遠心ファンＦ３によって吸込口４１３から空気を吸気し、この吸気した空気を吹出口４１４から吹き出させたり、排気口４１５から排気したりするようになっている。Ｍ４は遠心ファンＦ３を回転させるモータであり、このモータＭ４は換気ケース４１２の天板４１２Ａに固定されている。
【０１７４】
暖房ユニット４２０は、吸込口４１３および吹出口４１４に隣接するとともに天井から下方に突出する暖房ケース４２１を有し、この暖房ケース４２１の底面には輻射開口４２２が形成され、この輻射開口４２２には格子状に形成されたガード金具４２３が取り付けられている。
【０１７５】
暖房ケース４２１内には、カーボンランプ４２４と図示しない反射板等とが設けられている。反射板はカーボンランプ４２４から発生する熱線を輻射開口２２から浴室１１の洗い場に向けて輻射するようになっている。
【０１７６】
この浴室空調機器４１０は、予備暖房が設定されたとき、ダンパＤ３は実線位置に切り換えられ、ヒータＨ４が通電されるとともに遠心ファンＦ３が高速回転される。この遠心ファンＦ３の高速回転により、浴室空調機器４１０の吸込口４１３から浴室１１の空気が吸気される。この吸気された空気は、ダンパＤ３が実線位置に位置していることにより吹出口４１４へ向かい、ヒータＨ４によって暖められて吹出口４１４から浴室１１へ吹き出されていき、浴室１１の予備暖房が行われる。なお、カーボンランプ４２４は通電されない。
【０１７７】
入浴暖房のときには、ヒータＨ４の通電が停止されるとともに遠心ファンＦ３の回転が停止され、カーボンランプ４２４が通電される。このカーボンランプ４２４の通電により、カーボンランプ４２４から熱線が発生し、この熱線が輻射開口２２から浴室１１の洗い場に向けて輻射される。
【０１７８】
この第８実施例では、入浴暖房のとき、ヒータＨ４を非通電にするとともに遠心ファンＦ３の回転を停止させるが、ヒータＨ４を通電して遠心ファンＦ３を低速回転させてもよい。
【０１７９】
また、浴室空調機器４１０は、第１実施例の浴室空調機器３０と同様な動作を行うようになっているが、第２実施例ないし第４実施例と同様な動作を行うようにしてもよい。
［第９実施例］
図２８ないし図３１は、第９実施例の浴室空調機器５１０を示したものである。この浴室空調機器５１０は、換気ユニット５１１と、この換気ユニット５１１の換気ユニットケース（本体ケース）５１２内に着脱可能に装着された循環ユニット５２０とを備えている。
【０１８０】
換気ユニット５１１は、下面が開口された筺体状の換気ユニットケース５１２と、この換気ユニットケース５１２の天板５１３に取り付けられた換気風路ケース５１４と、この換気風路ケース１４内に回転自在に配置された換気用のシロッコファン（換気用ファン）５１５と、天板５１３に取り付けられた回路基板５１６と、その天板５１３に取り付けられるとともにシロッコファン５１５を回転させるモータＭ５とを有している。換気ユニットケース５１２の一側壁部５１２Ａには排気口１７が形成されている。
【０１８１】
換気風路ケース５１４は、シロッコファン５１５を回転自在に配置する筒部５１４Ａと、この筒部５１４Ａから換気ユニットケース５１２の排気口５１７まで延びた案内風路部５１４Ｂとを有している。筒部５１４Ａの下面には吸気口５１８が形成され、シロッコファン５１５の回転によりその吸気口５１８から空気を吸い込むようになっている。
【０１８２】
また、排気口５１７には図示しない排気ダクトが接続される接続ダクト５１７Ｄが取り付けられ、吸気口５１８から吸い込んだ空気は案内風路部５１４Ｂを経て接続ダクト５１７Ｄおよび排気ダクトを介して外へ排気されるようになっている。
【０１８３】
換気ユニットケース５１２の下部には天井壁に取り付けるフランジ５１２Ｆが形成され、このフランジ５１２Ｆに化粧板５１９が取り付けられるようになっている。この化粧板５１９により換気ユニットケース５１２の下部開口５１２Ｂが覆われる。
【０１８４】
循環ユニット５２０は、換気ユニットケース５１２内に嵌入される循環ユニットケース（本体ケース）５２１と、天井壁部５２２に一体に形成された循環風路ケース５２３と、この循環風路ケース５２３内に回転自在に配置された循環用のシロッコファン（循環用ファン）５２４と、このシロッコファン５２４を回転させるモータＭ６と、循環風路ケース５２３に隣接した位置に形成されるとともに上下方向に貫通した浴室側吸込風路５３０等とを備えている。モータＭ６は循環風路ケース５２３の天井壁部５２２に取り付けられている。（そして、モータＭ１の出力軸Ｍ１ａおよびモータＭ２の出力軸Ｍ２ａは天井面に対して垂直となっている。）
循環ユニットケース５２１には吹出口５２１Ａが形成され、この吹出口５２１Ａが循環風路ケース５２３の案内風路部５２３Ａに接続されている。５２３Ｂはシロッコファン５２４を回転自在に配置した筒部であり、この筒部５２３Ｂの底面には吸気口５２３Ｃが形成され、シロッコファン５２４の回転により循環風路ケース５２３の吸気口５２３Ｃから空気が吸い込まれて案内風路部５２３Ａを介して吹出口５２１Ａから吹き出されるようになっている。
【０１８５】
吹出口５２１Ａにはヒータ５２６が取り付けられており、吹出口５２１Ａから吹き出される空気が暖められるようになっている。ヒータ５２６はＰＴＣヒータであるが、他のヒータであってもよい。
【０１８６】
浴室側吸込風路５３０内には、シャッタ５３１が回動可能に設けられている。シャッタ５３１の軸５３２の一端は浴室側吸込風路５３０の壁を貫通して循環ユニットケース５２１に形成された電動室（図示せず）に進入している。この電動室にはモータ（図示せず）が設けられており、このモータによってシャッタ５３１が回動するようになっている。このシャッタ５３１の回動によって換気風路用ダクト５３０の開口５３０Ａの開閉およびその開閉度の調整が可能となっている。
【０１８７】
浴室空調機器５１０は、換気ユニットケース５１２内に循環ユニット５２０の循環ユニットケース５２１を挿入し、そして換気ユニットケース５１２に循環ユニットケース５２１をネジ止めすれば組み付けが完了するものである。また、ネジを外すことにより循環ユニットケース５２１を換気ユニットケース５１２から取り外すことができる。
［動  作］
次に、上記のように構成される浴室空調機器５１０の動作について説明する。
【０１８８】
リモコン４０（図１参照）の操作により換気モードが設定されると、循環ユニット５２０のモータが駆動されてシャッタ３１が回動し、浴室側吸込風路５３０の開口５３０Ａが開成される。シャッタ５３１は、適正な換気量となるように予め設定された位置へ回動される。
【０１８９】
他方、換気ユニット５１１のモータＭ５が駆動されてシロッコファン５１５が回転し、このシロッコファン５１５の回転により浴室１１（図１参照）の空気が換気風路用ダクト５３０の開口５３０Ａから吸い込まれ、この開口５３０Ａに吸い込まれた空気は浴室側吸込風路５３０および換気風路ケース５１４と循環ユニットケース５２１の天井壁部５２２との間の間隙Ｓを介して換気風路ケース５１４の吸気口５１８に吸い込まれていく。
【０１９０】
そして、吸気口５１８に吸い込まれた空気は換気ユニットケース５１２の排気口５１７から排気ダクト３５（図４参照）を介して外へ排気されていき、浴室１１の換気が行われる。
【０１９１】
暖房モードが設定されると、換気ユニット５１１のシロッコファン５１５の回転は停止されるとともにシャッタ５３１が閉成され、換気風路用ダクト５３０の開口５３０Ａはシャッタ５３１により閉塞される。そして、循環ユニット５２０のシロッコファン５２６が回転していくとともにヒータ５２６が通電される。
【０１９２】
シロッコファン５２６の回転により、浴室内の空気が循環ユニット５２０の吸気口５２３Ｂから吸い込まれて吹出口５２３Ｂから浴室へ吹き出していく。この吹出口５２３Ｂから吹き出される空気はヒータ５２６によって暖められていくので、浴室１１の暖房が行われる。
【０１９３】
乾燥モードが設定されると、換気ユニット５１１と循環ユニット５２０とが動作する。すなわち、浴室１１の換気により湿気が外へ排出されるとともに、循環ユニット５２０内のシロッコファン５２４とＰＴＣヒータ５２６の動作により浴室１１の暖房が行われて浴室が乾燥されていく。この乾燥により、浴室で衣類などを乾燥させることができることになる。
【０１９４】
ところで、換気ユニットケース５１２から循環ユニット５２０を取り外すことができるので、換気ユニット５１１のメンテナンスが大変し易いものとなる。また、換気ユニットケース５１２から循環ユニット５２０を取り外すことにより、その循環ユニット５２０のメンテナンスも非常に行い易いものとなる。
【０１９５】
この浴室空調機器５１０は、第１実施例の浴室空調機器３０と同様な動作を行うようになっているが、第２実施例ないし第４実施例と同様な動作を行うようにしてもよい。
［第１０実施例］
図３２ないし図３５は、第１０実施例の浴室空調機器１２００を示したものである。この浴室空調機器１２００は、換気ユニット１２１１と、この換気ユニット１２１１の換気ユニットケース（本体ケース）１２１２内に着脱可能に装着された循環ユニット１２２０とを備えている。
【０１９６】
換気ユニット１２１１は、下面が開口された筺体状の換気ユニットケース１２１２と、この換気ユニットケース１２１２の天板１２１３に取り付けられた換気風路ケース１２１４と、この換気風路ケース１２１４内に回転自在に配置された換気用のシロッコファン１２１５と、天板１２１３に取り付けられるとともにシロッコファン１２１５を回転させるモータ１０Ｍ３と、換気ユニットケース１２１２の開口の一角に取り付けられるとともに浴室の空気を吸気する吸気口１２３０を設けた吸気口形成板（吸気口ユニット）１３００とを有している。１３１５は換気ユニットケース１２１２に設けた電装部である。吸気口形成板１３００は換気ユニットケース１２１２に着脱可能に取り付けられている。この吸気口形成板１３００を取り外すだけで、換気ユニット１２１１や後述する循環ユニット１２２０を外さなくても点検と修理を行うことが可能となり、その点検と修理がし易いものとなる。
【０１９７】
吸気口形成板１３００の吸気口１２３０にはシャッタ１２４０が取り付けられ、このシャッタ１２４０はモータ（図示せず）によってその開度が調整されるようになっている。このシャッタ１２４０の開度の調整により浴室１１（図１参照）の空気の吸込量が調整可能となっている。
【０１９８】
また、換気ユニットケース１２１２の一側壁部１２１２Ａには排気口１２１７が形成され、この排気口１２１７にはダクトジョイント１３１７が取り付けられており、このダクトジョイント１３１７には図示しないダクトが接続され、このダクトおよびダクトジョイント１３１７を介して排気口１２１７が外気に連通されている。
【０１９９】
換気ユニットケース１２１２の側壁部１２１２Ｂ〜１２１２Ｄには、開口１３１２Ｂ〜１３１２Ｄが形成され、開口１３１２Ｂ,１３１２Ｃにはシャッタボックス１３１３Ｂ,１３１３Ｃを介してダクトジョイント１３１４Ｂ,１３１４Ｃが設けられている。シャッタボックス１３１３Ｂ,１３１３Ｃには図示しないシャッタが設けられており、このシャッタは図示しないモータによってその開口１３１２Ｂ,１３１２Ｃの開度が調整されるようになっている。
【０２００】
各ダクトジョイント１３１４Ｂ,１３１４Ｃには図示しないダクトが接続され、このダクトおよびダクトジョイント１３１４Ｂ,１３１４Ｃを介して例えばトイレ,脱衣室が開口１３１２Ｂ,１３１２Ｃに連通している。開口１３１２Ｄは図示しない蓋板により閉塞されている。ここでは、開口１３１２Ｄを閉塞し、開口１３１２Ｂ,１３１２Ｃにダクトジョイント１３１４Ｂ,１３１４Ｃを設けているが、部屋の間取りに応じてダクトジョイントを取り付ける開口１３１２Ｂ〜１３１２Ｄや閉塞する開口１３１２Ｂ〜１３１２Ｄを選択するものである。
【０２０１】
換気ユニットケース１２１２の下部にはフランジ部１３１６Ａ〜１３１６Ｄが設けられており、フランジ部１３１６Ｂには、下方へ突出するとともに外方に向かって曲がった一対のフック部１３１７,１３１７（図３３参照）が形成されている。同様にしてフランジ部１３１６Ｄには一対のフック部１３１８,１３１８が形成されている。また、換気ユニットケース１２１２のフランジ部１３１６Ａ〜１３１６Ｄにはフロントパネル１２１９（図３２参照）が取り付けられるようになっている。
【０２０２】
換気風路ケース１２１４は、シロッコファン１２１５を回転自在に配置する筒部１２１４Ａと、この筒部１２１４Ａから換気ユニットケース１２１２の排気口１２１７まで延びた案内風路部１２１４Ｂ（図３３参照）とを有している。筒部１２１４Ａの下面には吸気口１２１８が形成され、シロッコファン１２１５の回転によりその吸気口１２１８から空気を吸い込むようになっている。
【０２０３】
また、筒部１２１４Ａの吸気口１２１８と後述する循環ユニットケース１２２１の天板１２２２との間には所定の大きさの間隙Ｓ１が形成されており、この間隙Ｓ１を介して換気ユニットケース１２１２の開口１３１２Ｂ〜１３１２Ｄと筒部１２１４Ａの吸気口１２１８とが連通している。また、吸気口形成板１３００の吸気口１２３０と筒部１２１４Ａの吸気口１２１８とがその間隙Ｓ１を介して連通している。
【０２０４】
循環ユニット１２２０は、図３６に示すように、換気ユニットケース１２１２内に挿入されるとともに下面が開口した循環ユニットケース（本体ケース）１２２１と、循環ユニットケース１２２１の天板１２２２に一体に形成された温風風路ケース１２２３と、この温風風路ケース１２２３内に回転自在に配置された温風用のシロッコファン１２２４と、このシロッコファン１２２４を回転させるモータ１０Ｍ４と、シロッコファン１２２４から送風される空気を加熱するＰＴＣヒータ１２２６等とを備えている。ここでは、ＰＴＣヒータ１２２６を用いているが他のヒータであってもよい。
【０２０５】
循環ユニットケース１２２１には、下方に向いた長方形の吹出口１２２１Ａ（図３２参照）が形成されている。また、循環ユニットケース１２１２の下部にはフランジ部１４００Ａ〜１４００Ｅ（図３３参照）が形成されており、フランジ部１４００Ａには、一対の係止孔１４０１が形成されており、この係止孔１４０１には換気ユニットケース１２１２のフック部１３１７またはフック部１３１８が係合することができるようになっている。同様に、フランジ部１４００Ｃにも一対の係止孔１４０２が形成されている。
【０２０６】
温風風路ケース１２２３は、シロッコファン１２２４を回転自在に配置する筒部１２２３Ａと、その筒部１２２３Ａから水平方向に且つ吹出口１２２１Ａの長手方向に対して傾斜する方向に延びた水平案内部１２２３Ｂと、この水平案内部１２２３Ｂの終端から下方に曲がって吹出口１２２１Ａまで延びた下方風路部１２２３Ｃとを有している。
【０２０７】
筒部１２２３Ａの下面には吸気口１２２３Ｄが形成され、シロッコファン１２２４の回転によりその吸気口１２２３Ｄから空気を吸い込むようになっている。
【０２０８】
水平案内部１２２３Ｂの終端近傍にはＰＴＣヒータ１２２６が配置され、このＰＴＣヒータ１２２６は吹出口１２２１Ａの長手方向と平行に延びている。
【０２０９】
この第１０実施例の浴室空調機器１２００によれば、第９実施例と同様な効果を得ることができる他、吸気口形成板１３００が換気ユニット１２１１に設けられていることにより、循環ユニット１２２０だけを他の部屋の壁等に取り付けることができ、そのまま暖房装置として使用することも可能である。この場合、温風風路ケース１２２３のフランジ部１４００Ａ〜１４００Ｅには循環ユニット１２２０用の図示しないフロントパネルを装着する。
【０２１０】
このように、吸気口形成板１３００が換気ユニット１２１１に設けられているので、換気ユニット１２１１と循環ユニット１２２０とを別々にしてもそれぞれ別個に使用することができるので、商品をシリーズ展開するときに、新規に設計することなくユニットをそのまま使用することができる。すなわち、循環ユニット１２２０を暖房装置として使用する場合には、温風風路ケース１２２３のフランジ部１４００Ａ〜１４００Ｅに取り付けるフロントパネルのみを作成すればよいので、すばやく商品化することができる。
【図面の簡単な説明】
【０２１１】
【図１】この発明に係わる浴室空調システムの概略構成を示した説明図である。
【図２】図１に示す浴室空調システムに使用される浴室空調機器の構成を示した断面図である。
【図３】図２に示す浴室空調装置の浴室空調機器の底面図である。
【図４】図１に示す浴室空調システムの一部を示した説明図である。
【図５】浴室空調機器のリモコンを示した説明図である。
【図６】洗面所空調機器のリモコンを示した説明図である。
【図７】浴室空調機器のリモコンと洗面所空調機器のリモコンとを一体にしたものを示した説明図である。
【図８Ａ】給湯器のリモコンを示した説明図である。
【図８Ｂ】他の例のリモコンを示した説明図である。
【図８Ｃ】別な他の例のリモコンを示した説明図である。
【図９】浴室空調システムの制御系の構成を示したブロック図である。
【図１０】浴室空調機器のコントローラの構成を示したブロック図である。
【図１１】第３実施例のコントローラの動作を示したフロー図である。
【図１２Ａ】コントローラの他の例の動作を示したフロー図である。
【図１２Ｂ】コントローラの他の別な例の動作を示したフロー図である。
【図１２Ｃ】図１２Ａの他の例の動作を示したフロー図である。
【図１２Ｄ】図１２Ｂの他の例の動作を示したフロー図である。
【図１３】第４実施例の給湯器のリモコンを示した説明図である。
【図１４】第４実施例の浴室空調システムの動作を示したフロー図である。
【図１５】第４実施例の他の例の処理動作を示したフロー図である。
【図１６】第１実施例の浴室空調機器の他の動作の例を示したフロー図である。
【図１７】第１実施例の浴室空調システムの他の別な動作を示したフロー図である。
【図１８】第２実施例の浴室空調システムの動作を示したフロー図である。
【図１９】第２実施例の浴室空調システムの動作を示したタイムチャートである。
【図２０】第２実施例の浴室空調システムの他の処理動作を示したフロー図である。
【図２１】第５実施例の各リモコンを示した説明図である。
【図２２】第６実施例の各リモコンを示した説明図である。
【図２３】第７実施例の浴室空調システムの構成を示した説明図である。
【図２４】第７実施例の浴室空調システムの他の例を示した説明図である。
【図２５】第８実施例の浴室空調機器の取り付け状態を示す分解斜視図である。
【図２６】図２５の浴室空調機器の外観を示した斜視図である。
【図２７】図２５の浴室空調機器の構成を示した断面図である。
【図２８】第９実施例の浴室空調機器を示した斜視図である。
【図２９】第９実施例の浴室空調機器の構成を示した縦断面図である。
【図３０】図２８に示す浴室空調機器の構成を示した横断面図である。
【図３１】図２８に示す浴室空調機器の構成を示した平断面図である。
【図３２】第１０実施形態の浴室空調機器の外観を示した斜視図である。
【図３３】図３２に示す浴室空調機器のフロントパネルを外した底面図である。
【図３４】図３２の浴室空調機器の構成を示した縦断面図である。
【図３５】図３２の浴室空調機器の構成を示した横断面図である。
【図３６】図３２に示す浴室空調機器の循環ユニットの側面図である。
【符号の説明】
【０２１２】
１０        空調システム
１１        浴室
１２        浴槽
１５        リモコン
２０        給湯器
２５        リモコン
３０        浴室空調機器
４０        リモコン
５０        洗面所空調機器
６０        リモコン
【図１】
2006010139.tif 000003
【図２】
2006010139.tif 000004
【図３】
2006010139.tif 000005
【図４】
2006010139.tif 000006
【図５】
2006010139.tif 000007
【図６】
2006010139.tif 000008
【図７】
2006010139.tif 000009
【図８Ａ】
2006010139.tif 000010
【図８Ｂ】
2006010139.tif 000011
【図８Ｃ】
2006010139.tif 000012
【図９】
2006010139.tif 000013
【図１０】
2006010139.tif 000014
【図１１】
2006010139.tif 000015
【図１２Ａ】
2006010139.tif 000016
【図１２Ｂ】
2006010139.tif 000017
【図１２Ｃ】
2006010139.tif 000018
【図１２Ｄ】
2006010139.tif 000019
【図１３】
2006010139.tif 000020
【図１４】
2006010139.tif 000021
【図１５】
2006010139.tif 000022
【図１６】
2006010139.tif 000023
【図１７】
2006010139.tif 000024
【図１８】
2006010139.tif 000025
【図１９】
2006010139.tif 000026
【図２０】
2006010139.tif 000027
【図２１】
2006010139.tif 000028
【図２２】
2006010139.tif 000029
【図２３】
2006010139.tif 000030
【図２４】
2006010139.tif 000031
【図２５】
2006010139.tif 000032
【図２６】
2006010139.tif 000033
【図２７】
2006010139.tif 000034
【図２８】
2006010139.tif 000035
【図２９】
2006010139.tif 000036
【図３０】
2006010139.tif 000037
【図３１】
2006010139.tif 000038
【図３２】
2006010139.tif 000039
【図３３】
2006010139.tif 000040
【図３４】
2006010139.tif 000041
【図３５】
2006010139.tif 000042
【図３６】
2006010139.tif 000043